(57)【特許請求の範囲】
【請求項１】
２枚の長方形のファイルシートの前面部と後面部を隣接する２辺で閉じて、ファイルシート間に書類を挟んで収容するファイル体を複数枚重ねるように配列し、複数枚重ねたファイル体の隣接する対向面の一方の面の上辺部分に上方に延長した部分を設けて他方の対向面を挟み込むように折り返して折り返し片とし、同折り返し片で挟み込んだ折り返し片との対向面と折り返し片の一方にスリットを設け、スリットと対向する他方の対向面に同スリットと係合する係合片を設け、同係合片を前記スリットに差し込み係合させて隣接するファイル体同士を連結し、スリットと係合片が摺動するようにしてスリットの長手方向に沿うように重ねた複数のファイル体を引きずらして重ねた後方のファイル体の一部が見えるように展開できるようにしかつ折り返し片を上方に開くようにして重ねたファイル体を上方に開くことができるようにしたスライド式連結ファイル。
【請求項２】
２枚の長方形のファイルシートの前面部と後面部を隣接する２辺で閉じて、ファイルシート間に書類を挟んで収容するファイル体を複数重ねるように配列し、複数重ねたファイル体の隣接する対向面の一方の面の上辺部分に上方に延長した部分を設けて折り返し片とし、同折り返し片を設けた面と隣接したファイル体の面の上辺部分を２回折り返して袋状とした袋状レール部を上辺に設け、同袋状レール部に前記折り返し片を挿入して隣接するファイル体同士を摺動自在に連結し、折り返し片を設けた面に係合片を設けて袋状レール部を外側から押さえ込むようにし、袋状レール部と折り返し片が摺動しかつ袋状レール部と係合片が摺動するようにしてスリットの長手方向に沿うように重ねた複数のファイル体を引きずらして重ねた後方のファイル体の一部が見えるように展開できるようにし、かつ重ねたファイル体をファイル体の上辺まわりに開くことができるようにしたスライド式連結ファイル。
【請求項３】
上辺で２つ折りになった横に長い折り返しシートを設け、同折り返しの間に細長の中間シートを挿入し、折り返しシートと中間シートの対向面の一方の面にスリットを設け、スリットと対向する他方の対向面に同スリットと係合する係合片を設け、同係合片をスリットに挿入して折り返しシートと中間シートを摺動自在に連結し、折り返しシートと中間シートとに相対運動するファイルシートまたは紙の一端を止着してファイルシート又は紙をスライドできるようにするファイル連結具。
【発明の詳細な説明】
【０００１】
【発明の属する技術分野】
本発明は、１枚ずつに独立するファイル体を連結して、スライドするファイルを構成するようにしたもので、書類を分類して保存・格納でき、その保存・格納した書類を取り出すとき、その書類の内容の一部分をスライドして一覧・確認させ、目的の書類をすばやく取り出すことができるようにしたスライド式連結ファイルに関する。
【０００２】
【従来の技術】
複数に分類された書類を、分類された状態で一時的に保存・携帯する場合に用いられる書類を収容するファイル具には、様々なものがある。近年、よく用いられるものとして、透明又は半透明の袋を複数重ねてファイル具にファイルし、分類した書類を袋に入れるものがある。このファイル具は、頁をめくるようにして袋を入れた重ねた書類の一枚目を見ることができる。しかし、このファイル具は、通常表紙、背表紙、裏表紙が硬質な紙や樹脂になっているため、収容する書類が少ない場合には、嵩張るものであり、また、会議や打合せに使用する場合のように書類をすぐに取り出さなければならないような場合には、袋から書類を取り出すのには時間がかかっていた。また、別のファイル具として透明又は半透明の長方形のものを重ねて、１辺〜３辺を閉じたものがある。このファイル具に書類を入れると重ねた書類の一枚目の表面と重ねた書類の最も下の裏面をファイル具を透かして見ることができる。また、嵩張らないものであり、すぐに書類を取り出すことができる。しかし、会議や打合せに使用する場合のように多くの分類に分けた書類をそれぞれこのファイル具に入れて使用すると、机上などで広げると散乱した状態となり、重ねた状態では目的の書類がどのファイル具に入れたかが分からなくなるという問題点があった。
【０００３】
【発明が解決しようとする課題】
本発明は、従来のこれらの問題点を解消し、収容した書類を簡単に取り出すことができ、ファイル体を連結して一体として取り扱うことができ、重ねた複数のファイル体を引きずらして複数のファイル体の中身の一部を一目で見れるようにしたスライド式連結ファイルに関する。
【０００４】
【課題を解決するための手段】
かかる課題を解決した本発明の構成は、
１）  ２枚の長方形のファイルシートの前面部と後面部を隣接する２辺で閉じて、ファイルシート間に書類を挟んで収容するファイル体を複数枚重ねるように配列し、複数枚重ねたファイル体の隣接する対向面の一方の面にスリットを設け、スリットと対向する他方の対向面に同スリットと係合する係合片を設け、同係合片を前記スリットに差し込み係合させて隣接するファイル体同士を連結し、スリットと係合片が摺動するようにしてスリットの長手方向に沿うように重ねた複数のファイル体を引きずらして重ねた後方のファイル体の一部が見えるように展開できるスライド式連結ファイル
２）  ２枚の長方形のファイルシートの前面部と後面部を隣接する２辺で閉じて、ファイルシート間に書類を挟んで収容するファイル体を複数枚重ねるように配列し、複数枚重ねたファイル体の隣接する対向面の一方の面の上辺部分に上方に延長した部分を設けて他方の対向面を挟み込むように折り返して折り返し片とし、同折り返し片で挟み込んだ折り返し片との対向面と折り返し片の一方にスリットを設け、スリットと対向する他方の対向面に同スリットと係合する係合片を設け、同係合片を前記スリットに差し込み係合させて隣接するファイル体同士を連結し、スリットと係合片が摺動するようにしてスリットの長手方向に沿うように重ねた複数のファイル体を引きずらして重ねた後方のファイル体の一部が見えるように展開できるようにしかつ折り返し片を上方に開くようにして重ねたファイル体を上方に開くことができるようにしたスライド式連結ファイル
３）  隣接するファイル体を複数組のスリットと係合片で連結する構造にした前記１）又は２）記載のスライド式連結ファイル
４）  複数組のスリットと係合片を上下に配置する構造にした前記１）〜３）いずれかに記載のスライド式連結ファイル
５）  少なくとも２箇所の係合片が１８０°反対方向に向いている構造にした前記１）〜４）いずれかに記載のスライド式連結ファイル
６）  係合片が、スリットの片側に係合する正方向係合部とスリットの反対側に係合する逆方向係合部からなる略Ｔ字形状となる構造にした前記１）〜５）いずれかに記載のスライド式連結ファイル
７）  係合片が、ファイル体の前面又は後面に接続部を残して切目を形成して切目から引き起こして係合片とする構造にした前記１），３）〜６）いずれかに記載のスライド式連結ファイル
８）  係合片のスリットへの挿入方向と逆方向に延伸した逆方向係合部を設けた前記１）〜５），７）いずれかに記載のスライド式連結ファイル
９）  係合片の一部に接続部を残して切目を形成して切目から引き起こして内側係合片を設け、係合片と内側係合片でスリットを設けた面を挟むように係合した前記７）又は８）記載のスライド式連結ファイル
１０）  係合片の複数箇所に内側係合片を設けるようにした前記９）記載のスライド式連結ファイル
１１）  切り目を設けた面の係合片を引き起こす側の面と反対側の面に切り抜いた部分を覆うカバーを設けた前記７）〜１０）いずれかに記載のスライド式連結ファイル
１２）  スリットに対する係合片のスライド量がわかるようにスリットの長手方向に沿って複数の目印を設けるようにした前記１）〜１１）いずれかに記載のスライド式連結ファイル
１３）  係合片の周縁の一部を前後に傾斜するよう折曲させて係合片の周縁の一部がスリットを設けた面に対して浮くようにした前記１）〜１２）いずれかに記載のスライド式連結ファイル
１４）  係合片の基端部分が係合片を設けた面に対して垂直に突出した構造にした前記１）〜１３）いずれかに記載のスライド式連結ファイル
１５）  ２枚の長方形のファイルシートの前面部と後面部を隣接する２辺で閉じて、ファイルシート間に書類を挟んで収容するファイル体を複数重ねるように配列し、複数重ねたファイル体の隣接する対向面の一方の面の上辺部分に上方に延長した部分を設けて折り返し片とし、同折り返し片を設けた面と隣接したファイル体の面の上辺部分を２回折り返して袋状とした袋状レール部を上辺に設け、同袋状レール部に前記折り返し片を挿入して隣接するファイル体同士を摺動自在に連結し、折り返し片を設けた面に係合片を設けて袋状レール部を外側から押さえ込むようにし、袋状レール部と折り返し片が摺動しかつ袋状レール部と係合片が摺動するようにしてスリットの長手方向に沿うように重ねた複数のファイル体を引きずらして重ねた後方のファイル体の一部が見えるように展開できるようにし、かつ重ねたファイル体をファイル体の上辺まわりに開くことができるようにしたスライド式連結ファイル
１６）  袋状レール部に係合させた折り返し片の摺動する範囲を所定の範囲にするストッパを設けた前記１５）記載のスライド式連結ファイル
１７）  ファイルシートの前面部又は後面部に切欠部を設けた前記１）〜１５）いずれかに記載のスライド式連結ファイル
１８）  上辺で２つ折りになった横に長い折り返しシートを設け、同折り返しの間に細長の中間シートを挿入し、折り返しシートと中間シートの対向面の一方の面にスリットを設け、スリットと対向する他方の対向面に同スリットと係合する係合片を設け、同係合片をスリットに挿入して折り返しシートと中間シートを摺動自在に連結し、折り返しシートと中間シートとに相対運動するファイルシートまたは紙の一端を止着してファイルシート又は紙をスライドできるようにするファイル連結具
にある。
【０００５】
【作用】
本発明では、複数枚重ねたファイル体の隣接する対向面の一方の面にスリットを設け、スリットと対向する他方の対向面に同スリットと係合する係合片を設けている。この係合片をスリットに差し込み係合させて隣接するファイル体同士を連結する。これによって重ねた複数のファイル体を引きずらすとスリットの長手方向に係合片が係合した状態で摺動するので重ねた複数のファイルをスリットの長手方向に沿ってずらすことができる。
隣接するファイルシートの一方に折り返し片を設け、折り返し片との対向面と折り返し片のどちらか一方にスリットを設け、もう一方に係合片を設けたものは、スリットに対して係合片が摺動するようにしてスリットの長手方向に沿うように重ねた複数のファイル体を引きずらして重ねた後方のファイル体の一部が見えるように展開し、折り返し片を開くようにして重ねたファイル体を上辺まわりに確実に上方に開くことができる。
隣接するファイル体に連結するスリットと係合片を複数組設けたものは、多くの箇所で隣接するファイル体を連結して、強く連結させることができる。
複数組のスリットと係合片を上下に配置する構造にしたものは、上下の箇所で隣接するファイル体を連結して、強く、また上下均等に連結する。
少なくとも２箇所の係合片が１８０°反対方向に向いているものは、隣接するファイル体の一方だけを引き上げた際に、引き上げ方向がいずれかの係合片のスリットへの差し込み方向と逆方向になっても、他方の係合片がスリットに引っ掛かるようにして隣接するファイル体の連結がはずれないようにする。
係合片が、スリットの片側に係合する正方向係合部とスリットの反対側に係合する逆方向係合部からなる略Ｔ字形状となる構造にしたものは、スリットに略直角な方向に隣接するファイル体の一方だけを引き上げた際に、スリットに対して略直角な片方の方向は正方向係合部がスリットに引っ掛かるようにし、１８０°反対方向には逆方向係合部がスリットに引っ掛かるようにして隣接するファイル体の連結がはずれないようにする。
係合片が、ファイル体の前面又は後面に接続部を残して切目を形成して切目から引き起こして係合片としたものは、係合片をファイル体の一部で形成することによって安価な構成となる。
係合片のスリットへの挿入方向と逆方向に延伸した逆方向係合部を設けたものは、スリットへの挿入方向と逆方向にずらすよう隣接したファイル体に力を加えた場合に逆方向係合部がスリットに引っ掛かるようにして、隣接したファイル体の連結がはずれないようにする。
係合片の一部に接続部を残して切目を形成した切目から引き起こして内側係合片を設けたものは、スリットを設けた面を係合片と内側係合片で挟むようにして保持する。
係合片の複数箇所に内側係合片を設けるようにしたものは、スリットを設けた面を係合片と複数の内側係合片で挟むようにして保持する。
切り目を設けた面の係合片を引き起こす側の面と反対側の面に切り抜いた部分を覆うカバーを設けたものは、切り抜いた部分とファイル体内に収容する書類が引っ掛かることがないようにする。
スリットに対する係合片のスライド量がわかるようにスリットの長手方向に沿って複数の目印を設けるようにしたものは、目印によって、隣接したファイル体の引きずらす量を所定の量に容易にできる。
係合片の周縁の一部を前後に傾斜するように折曲させたものは、係合片の周縁の一部がスリットを設けた面に対して浮くようにして、摺動する係合片と、スリットを設けた面あるいは収容した書類の抵抗が大きくならないようにする。
係合片の基端部分が係合片を設けた面に対して垂直に突出した構造にしたものは、スリットと係合する係合片の基端部分をスリットに対して垂直にすることで、スリットに対して係合片がスムーズに摺動できるようにする。
隣接するファイルシートの一方に折り返し片を設け、もう一方に袋状レール部を設け、袋状レール部に折り返し片を差し込み、袋状レール部を外側から係合片で押さえ込むようにしたものは、袋状レール部と折り返し片が摺動しかつ袋状レール部と係合片が摺動するようにしてスリットの長手方向に沿うように重ねた複数のファイル体を引きずらして重ねた後方のファイル体の一部が見えるように展開できるようにし、かつ重ねたファイル体をファイル体の上辺まわりに開くことができ、ファイル体連結がスリットタイプのものに比べて容易にできる。
袋状レール部に係合させた折り返し片の摺動する範囲にするストッパを設けたものは、袋状レール部に挿入した折り返し片が摺動して行くとストッパに当たってそれ以上移動しないようにして折り返し片の摺動する範囲を所定の範囲にできる。
ファイルシートの前面部又は後面部に切欠部を設けたものは、ファイル体のファイルシートの前面部と後面部の間に挟んだ書類を切欠部で直接、人が触れて取り出せるようにする。
折り返しシートと中間シートでファイル連結具としたものは、スリットに対して係合片が摺動するようにしてスリットの長手方向に沿うように折り返しシートと中間シートを引きずらして相対運動をさせるようにして、折り返しシートと中間シートにそれぞれ取り付けたファイルシート又は紙をスライドできるようにする。
【０００６】
【発明の実施の形態】
ファイル体の材質としては、紙、樹脂などがあり、収容した書類が透けて見えるように透明又は半透明もしくは窓を設けたものが好ましい。
ファイル体は、長方形の前面部と後面部の一辺を閉じても、二辺を閉じて角開きとしても三辺を閉じて袋状にしてもよい。
ファイル体は前面部と後面部の間に別の面を１つ又は複数設けたものでもよい。
係合片の形状については様々なものがあり、どのようなものでもよい。
隣接するファイル体を連結するスリットと係合片を複数組設けたものは、一方の面にスリットを複数設けてもよいし、係合片を複数設けてもよいし、スリットと係合片を設けるようにしてもよい。また、その位置は、左右に配置しても上下に配置しても、斜めに配置してもよい。
【０００７】
【実施例】
本発明の各実施例について図面を参照して具体的に説明する。なお各実施例の図面においては透けて見える重ねた部分について図示していない。
実施例１（図１〜４参照）
図１〜４に示す実施例１は、隣接するファイル体を連結するスリットと係合片を複数組設け、複数組のスリットと係合片を上下に配置し、少なくとも２箇所の係合片が１８０°反対方向に向いている構造にし、係合片がファイル体の前面又は後面に接続部を残して切目を形成して切目から引き起こして係合片とし、係合片のスリットへの挿入方向と逆方向に延伸した逆方向係合部を設け、係合片の一部に接続部を残して切目を形成して切目から引き起こして内側係合片を設け、係合片の周縁の一部を前後に傾斜するよう折曲させたスライド式連結ファイルの例である。
図１は実施例１のスライド式連結ファイルの説明図である。図２は実施例１のスライド式連結ファイルの一部切欠正面図である。図３は実施例１のスライド式連結ファイルの動作を示す説明図である。図４は実施例１のスライド式連結ファイルの一部拡大断面図である。
図中、１はスライド式連結ファイル、２はファイル体、３は切目、４は係合片、４ａは折曲部分、逆方向係合部４ｂ、５は内側係合片、６はスリットである。
【０００８】
本実施例１のスライド式連結ファイル１は、図１〜４に示すように長方形の前面部と後面部を重ね合わせて側方と下方の２辺を閉じて角開きにしたファイル体２にしている。また、本実施例１ではこのファイル体２を３つ重ね合わせるようにして用いるものである。
まず、重ねた前側のファイル体の後面部の上側部分に左右に長いスリット６を設ける。スリット６の幅はファイル体の前面部及び後面部の厚さより少し大きくし、スリット６の長さは、所定の長さにしておく。
次に、スリット６を設けた前側のファイル体２の後面部の下側部分に係合片４を設ける。まず、ファイル体２の後面部の下側部分に上側に向ってふくらむようにして半環状の切目を入れる。さらに半環状の切目の右端部分は、左側の切目の端部分より下側に小さくふくらむようにして半環状の切目を設ける。この際には、左右の切目の両端は同じ上下位置になるようにする。次に切目３の両端を結ぶ部分が基端になるようにして、切目３の内側を少し引き起こして係合片４を形成する。下方に小さくふくらませた部分は、逆方向係合部４ｂとする。
次に、係合片４，逆方向係合部４ｂの外周の切目の両端を結ぶ線上の一点から係合片４と同じ方向にふくらむ、係合片４より小さい半環状の切目を設け、係合片４が引き起こされる際に引き起こされないように内側係合片５を設ける。さらに半環状の係合片４の上側の左端部分と上側の右側部分を斜めに折曲させて折曲部分４ａを形成する。
【０００９】
次に、重ねた後側のファイル体の前面部の上側部分に係合片４を設ける。この際に、係合片４のふくらんだ部分が、重ねた前側のファイル体の後面部に設けた係合片４と１８０°反対方向を向くように下側にふくらむようにする。また、係合片４，逆方向係合部４ｂを設けるための切目３の両端部分を結ぶ直線と重ねた前側のファイル体の後面部の上側部分に設けたスリット６がほぼ重なる位置になるようにする。
次に、重ねた後側のファイル体の前面部の下側部分にスリット６を設ける。スリット６の幅，長さは重ねた前側のファイル体に設けたスリット６と同じになるようにし、スリット６の上下位置は、重ねた前側のファイル体に係合片４を設けるための切目３の両端を結ぶ直線にほぼ重なるようにし、さらに重ねた前側のファイル体の後面部に設けたスリット６と並行になるようにする。
【００１０】
このように前後のファイル体２を設けたならば、次にこの前後のファイル体２を連結させる。図４に示すように重ねた前側のファイル体の後面部に設けたスリット６に重ねた後側のファイル体の前面部に設けた係合片４を上側からスリット６に差し込む。この際には、少し係合片４及び逆方向係合部４ｂを曲げて逆方向係合部４ｂもスリット６に差し込んで係合させる。
次に図４に示すように重ねた後側のファイル体の前面部に設けたスリット６に重ねた前側のファイル体の後面部に設けた係合片４，逆方向係合部４ｂを差し込んで係合させる。
本実施例１のスライド式連結ファイル１は、この状態で前後のファイル体２にそれぞれ分類した書類を収容して用いる。
使用する際に、重ねた前側のファイル体を後側のファイル体に対して左側に引くように力を加えると、前側のファイル体のスリット６に対して後側のファイル体の係合片４が摺動し、後側のファイル体のスリット６に対して前側のファイル体の係合片４が摺動するようにして、図２に示すように後側のファイル体に対して前側のファイル体がズレるように展開する。
元の重ねた状態に戻すには、展開した前側のファイル体を後側のファイル体と重ねる方向に押して前側ファイル体と後側のファイル体のスリット６に対して係合片４が摺動するようにして後側のファイル体に対して前側のファイル体が重なるように移動させる。
【００１１】
このファイルを展開させる左右方向には、前側のファイル体のみ又は後側のファイル体のみを引き上げたような場合でもスリットの端に係合片が係合するので、連結がはずれてしまうようなことがない。また、上下方向には、前側ファイル体と後側ファイル体に設けた係合片４は、それぞれ１８０°反対方向に向くようにしているので、前側のファイル体のみ又は後側のファイル体のみを引き上げたような場合でも前側のファイル体と後側のファイルのどちらかの係合片がスリット６に挿入した方向し係合させた方向、スリットに引っ掛かるようにして連結がはずれないようにする。また、係合片４には、スリット６から係合片４が係合する側と反対側に係合する逆方向係合部４ｂを設けているので、スリットから係合片４を引き抜く方向に移動しようとした際に逆方向係合部４ｂがスリット６に引っ掛かるようにしてさらに連結がはずれないようにする。
スリットに対して係合片４が摺動する際には、係合片４の基端部分には、内側係合片５を設けているので、スリット６の辺部分を係合片４と内側係合片５で挟むようにし確実に摺動する。
また、前側のファイル体２及び後側のファイル体２に設けた係合片４の左右の先端部分には、折曲部分４ａを設けているので、係合片の周縁の一部がスリットを設けた面に対して浮くようにしているので、スリットを設けた面と係合片４の摺動抵抗が大きくならないようにしている。
このように本実施例１のスライド式連結ファイルを用いれば、分類を分けてそれぞれファイル体２に収容した書類を使用する際にファイル体を展開してすぐに取り出すことができ、非常に便利で嵩張らず、散乱せずに使用することができる。
【００１２】
実施例２（図５〜８参照）
図５〜８に示す実施例２は、係合片を設けるための切り目を設けた面の係合片を引き起こす側の面と反対側の面に切り抜いた部分を覆うカバーを設けたスライド式連結ファイルの例である。
図５は実施例２のスライド式連結ファイルの一部切欠正面図である。図６は実施例２のスライド式連結ファイルの動作を示す説明図である。図７は実施例２のスライド式連結ファイルの動作を示す説明図である。図８は実施例２のスライド式連結ファイルの一部拡大断面図である。
図中、８はスライド式連結ファイル、９はファイル体、９ａは切欠部、１０は切り目、１１は係合片、１１ａは逆方向係合部、１２はカバー、１３はスリットである。
実施例２では図６〜８に示すように切り目１０を設けた面の係合片１１を引き起こす側の面と反対側の面に、この切り目部分を覆うようにカバーを設ける。切り目１０の内側は係合片１１として対向面のスリット１３に挿入するので、切り目１０の内側が空間になって、ファイル体に書類を入れる際に引っ掛かったりするので、このようにカバー１２を設けて切り目１０の内側にできる開口部分を塞ぐようにしてもよい。
また、実施例２のスライド式連結ファイルでは、ファイル体９に切欠部９ａを設けている。このようにすれば、図６，７に示すようにスライド式連結ファイルを展開させた際に、切欠部９ａからファイル体のファイルシートの前面部と後面部の間に挟んだ書類が露出するので、直接、指で触れてズラすように簡単に取り出すことができる。
その他作用、使い方は実施例１と同じである。
【００１３】
実施例３（図９〜１１参照）
図９〜１１に示す実施例３は、スリットに対する係合片のスライド量がわかるようにスリットの長手方向に沿って複数の目印を設けるようにしたスライド式連結ファイルの例である。
図９は実施例３のスライド式連結ファイルの一部切欠正面図である。図１０は実施例３のスライド式連結ファイルの動作を示す説明図である。図１１は実施例３のスライド式連結ファイルの一部拡大断面図である。
図中、１５はスライド式連結ファイル、１６はファイル体、１６ａは切欠部、１７は切り目、１８は係合片、１８ａは逆方向係合部、１９は目印孔、２０，２１はストッパ片、２２はスリットである。
実施例３では、図９〜１１に示すようにスリット２２の両側に等間隔で５つの目印孔１９をそれぞれ設け、スライド式連結ファイル１５を展開させる際にスライドさせる量を決めて操作できるようにしている。またさらに、所定の目印孔１９の位置のスリット２２の部分にストッパ片２０を着脱自在に取り付けるようにして、係合片１８がスライドできる長さを短くするようにして、スライド式連結ファイル１５の展開させるスライド量を決めるようにしてもよい。また、スリット２２の端部分にストッパ片２１を取り付けて、スリット２２の端部分を保護するようにしてもよい。
その他作用、使い方は実施例１と同じである。
【００１４】
実施例４（図１２参照）
図１２に示す実施例４は、逆方向係合部と内側係合片を複数設けるようにしたスライド式連結ファイルの例である。
図中、２４はスライド式連結ファイル、２５はファイル体、２６は切り目、２７は係合片、２７ａは逆方向係合部、２８は目印孔、２９は内側係合片である。図１２に示す実施例４では、係合片２７の左右２箇所に逆方向係合部２７ａと内側係合片５を設けている。このように逆方向係合部２７ａ，内側係合片５を複数設けるようにしてより確実に係合するようにしてもよい。
その他、作用、使い方は実施例３と同じである。
【００１５】
実施例５（図１３，１４参照）
図１３，１４に示す実施例５は、逆方向係合部を複数設けるようにしたスライド式連結ファイルの例である。
図１３は実施例５のスライド式連結ファイルの正面図である。図１４は実施例５のスライド式連結ファイルの一部拡大断面図である。
図中、３１はスライド式連結ファイル、３２はファイル体、３２ａは切欠部、３３は切り目、３４は係合片、３５は逆方向係合部、３６は内側係合片、３７はスリットである。
図１３，１４に示すように係合片３４の左右両端に逆方向係合部３５を設けるようにしてもよい。
その他、作用、使い方は実施例１と同じである。
【００１６】
実施例６（図１５参照）
図１５に示す実施例６は、逆方向係合部と内側係合部を複数設けるようにしたスライド式連結ファイルの例である。
図１５は実施例６のスライド式連結ファイルの一部切欠正面図である。
図中、３９はスライド式連結ファイル、４０はファイル体、４１は切り目、４２は係合片、４３は逆方向係合部、４４は内側係合片、４５はスリットである。
このように内側係合片４４を近づけるように設けてもよい。
その他、作用、使い方は実施例５と同じである。
【００１７】
実施例７（図１６参照）
図１６に示す実施例７は左右に設けるようにしたスライド式連結ファイルの例である。
図１６は実施例７のスライド式連結ファイルの一部切欠正面図である。
図中、４７はスライド式連結ファイル、４８はファイル体、４９は切り目、５０は係合片、５１は逆方向係合部、５２は内側係合片、５３はスリットである。
図１６に示すように実施例７では、左右に係合片５０を設けている。このように係合片を設ける位置、個数はどのようにしてもかまわない。
【００１８】
実施例８（図１７〜２０参照）
図１７〜２０に示す実施例８は隣接するファイル体の対向する面の一方に折り返し片を設け、折り返し片で挟まれる面にスリットを設け、折り返し片に係合片を設けたスライド式連結ファイルの例である。
図１７は実施例８のスライド式連結ファイルの一部切欠正面図である。図１８は実施例８のスライド式連結ファイルの動作を示す説明図である。図１９は実施例８のスライド式連結ファイルの一部拡大断面図である。図２０は実施例８のスライド式連結ファイルを上方に開く動作を示す説明図である。
図中、５５はスライド式連結ファイル、５６はファイル体、５７は切り目、５８は折り返し片、５９はスリット、６０は係合片である。
実施例８では図１７〜２０に示すように前後に重ねたファイル体５６の後側のファイル体５６の前面の上辺を上方に延長し、前側のファイル体５６の後面を挟み込むように折り返して折り返し片５８とし、折り返し片５８の２箇所に切り目５７を入れ、切り目５７の内側を後側に向って引き起こすようにして係合片６０を形成する。折り返し片５８によって挟み込まれる前側のファイル体５６の後面にはスリット５９を設け、このスリット５９に係合片６０を挿入するようにして係合させる。図１８に示すようにスリット５９に対して係合片６０が摺動することによって、前後のファイル体５６がスライドすることができる。また、折り返し片５８は、折り返し部分を軸部分として上方に向って開く動きをさせることができる。この折り返し片５８には、前側のファイル体５６が係合されているので、図２０に示すように前側のファイル体５６を上方に開くようにできる。よってファイル体の材質として透明又は半透明のものを使用すれば、ファイル体５６に収容した書類の最も上の面の全部を見れるようにでき、非常に便利である。
その他作用、使い方は実施例１と同じである。
【００１９】
実施例９（図２１参照）
図２１に示す実施例９は前後に重ねたファイル体５６の前側のファイル体５６の後面に折り返し片を設けたスライド式連結ファイルの例である。
図２１は実施例９のスライド式連結ファイルの説明図である。
図中、６２はスライド式連結ファイル、６３はファイル体、６４は折り返し片、６５はスリット、６６は係合片である。
実施例９では、前後に重ねたファイル体６３の前側のファイル体６３の後面の上辺の一部を上方に延長し、後側のファイル体６３の前面を挟み込むように折り返して折り返し片６４とし、折り返し片６４に一つの係合片６６を設け、折り返し片６４で挟み込まれた後側のファイル体の前面にスリット６５を設けて、スリット６５に係合片６６を差し込んで係合させ、前後のファイル体を連結している。このように、折り返し片を設ける箇所、係合片６６の個数はどのように設けてもよく使いやすさ、コスト等から決めればよい。
その他作用、使い方は実施例８と同じである。
【００２０】
実施例１０（図２２〜２４参照）
図２２〜２４に示す実施例１０は、複数重ねたファイル体の隣接する対向面の一方の面の上辺部分に折り返し片を設け、もう一方の面の上辺部分を２回折り返して袋状レール部を設け、同袋状レール部と折り返し片を係合させて重ねたファイル体同士を連結し、折り返し片の摺動する範囲を所定の範囲にするストッパを設けたスライド式連結ファイルの例である。
図２２は実施例１０のスライド式連結ファイルの一部切欠正面図である。図２３は実施例１０のスライド式連結ファイルの一部拡大断面図である。図２４は実施例１０のスライド式連結ファイルの説明図である。
図中、６８はスライド式連結ファイル、６９はファイル体、７０は切り目、７１は折り返し片、７２はストッパ、７３は袋状レール部、７４は係合片である。実施例１０では、図２２〜２４に示すように前後に重ねたファイル体の前側のファイル体の後面上辺の一部を上方に延長して前側下方に折り返して折り返し片７１とし、後側のファイル体の前面の一部を上方に延長し、前側下方に２回折り返して袋状に形成した袋状レール部７３を設ける。次に袋状レール部７３の対向する面の一方に切り込みを設け、もう一方に半円状に切り目を入れて引き起こし、一方の面に設けた切り込みに半円状に引き起こした部分を挿入してストッパ７２を袋状レール部７３の両側に設ける。次に図２３に示すように折り返し片７１を袋状レール部７３の袋状に折った部分に挿入する。さらに折り返し片７１を設けたファイル体の面に係合片７４を設け、折り返し片７１を挿入した状態の袋状レール部分７３を外側から押さえ付けるように係合片７４に係合させる。
このスライド式連結ファイル６８をスライドさせる際には、袋状レール部７３と折り返し片７１が摺動し、また、袋状レール部と係合片７４が摺動する。また、袋状レール部７３内での折り返し片７１の移動できる範囲は、左右に設けたストッパ７２に当たるまでとなる。また、図２４に示すように、折り返し片７１及び袋状レール部７３の折り返し部分を基点に上方に開くようにできる。折り返し片と袋状レール部を係合させているので、スリットによるスライドのものに比べて、ファイル連結が簡単にできる。
その他作用、使い方は実施例１と同じである。
【００２１】
実施例１１（図２５〜２７参照）
図２５〜２７に示す実施例１１は、上辺で２つ折りになった折り返しシートを設け、細長の中間シートを折り返しの間に挿入し、スリットと係合片を設けて折り返しシートと中間シートを係合したファイル連結具の例である。
図２５は実施例１１のファイル連結具の正面図である。図２６は実施例１１のファイル連結具の一部拡大断面図である。図２７は実施例１１のファイル連結具を使用した状態を示す説明図である。
図中、７６はファイル連結具、７７は折り返しシート、７８は中間シート、７９はスリット、８０は係合片、８１はファイル体である。
実施例１１では図２５〜２７に示すように上辺で２つ折りになった横に長い折り返しシート７７を設け、折り返しシート７７の２箇所には横に伸びるスリット７９を設ける。次に折り返しシート７７の一面に近い大きさの中間シート７８を設ける。中間シート７８の２箇所には、切り目を入れて引き起こすようにして係合片８０を設ける。次にスリット７９に係合片８０を挿入して折り返しシート７７と中間シート７８を連結する。折り返しシート７７と中間シート７８はスリット７９に対して係合片８０は摺動することによりスライドする。
このファイル連結具７６の折り返しシート７７にファイル体８１を接着等で取り付け、また中間シート７８に別のファイル体８１を接着等で取り付ければ、スライドが可能で、また折り返しシート７７の折り返し部分を基点に上方に開くことができるファイルになる。
よってこのように手軽に取り付けて使用できるファイル連結具となる。また、折り返しシート７７及び中間シート７８には紙やボードなどを取り付けて使用してもかまわない。
【００２２】
図２８，２９に示すのは実施例１１の他の例である。
図中、８３はファイル連結具、８４は折り返しシート、８５は中間シート、８６はスリット、８７は係合片である。
実施例１１の他の例では、図２８，２９に示すように係合片８７を向きが逆になるように設けている。このように係合片の向きは逆に設けてもよい。
その他符号、構成、作用、使い方は実施例１１と同じである。
【００２３】
【発明の効果】
本発明によれば、収容した書類を簡単に取り出すことができ、ファイル体を連結して一体として取り扱うことができ、重ねた複数のファイル体を引きずらして複数のファイル体の中身の一部を一目で見れるようにしたスライド式連結ファイルにできる。
隣接するファイルシートの一方に折り返し片を設け、折り返し片との対向面と折り返し片のどちらか一方にスリットを設け、もう一方に係合片を設けたものは、上方に確実に開くことができることにより、複数のファイル体の一つの面全部を見ることができ、さらに便利なスライド式連結ファイルにできる。また、ファイル体を上方に開くとき、スライドさせた状態でも開くことができるため、通常の頁めくりに比べてより簡単にファイル体を開くことができる。
隣接するファイル体に連結するスリットと係合片を複数組設けたものは、はずれにくく、気軽に取り扱うことができる。
複数組のスリットと係合片を上下に配置する構造にしたものは、より安定し、傾くことなくスムーズにスライドできるようにする。
少なくとも２箇所の係合片が１８０°反対方向に向いているものは、持ち方によってはずれてしまうようなことがないようにしてより使い易くする。
係合片が、スリットの片側に係合する正方向係合部とスリットの反対側に係合する逆方向係合部からなる略Ｔ字形状となる構造にしたものは、より確実でスムーズにスライドできるようにする。
係合片が、ファイル体の前面又は後面に接続部を残して切目を形成して切目から引き起こして係合片としたものは、より安価なスライド式連結ファイルにする。
係合片のスリットへの挿入方向と逆方向に延伸した逆方向係合部を設けたものは、連結がはずれないようにして、より気軽に取り扱うことができる。
係合片の一部に接続部を残して切目を形成して切り目から引き起こして内側係合片を設けたものは、より確実にスリットと係合片を係合させてさらに確実にスライドさせることができる。
係合片の複数箇所に内側係合片を設けるようにしたものは、さらに確実にスリットと係合片を係合させて確実にスライドさせることができる。
切り目を設けた面の係合片を引き起こす側の面と反対側の面に切り抜いた部分を覆うカバーを設けたものは、よりスムーズに書類の出し入れを行うことができる。
スリットに対する係合片のスライド量がわかるようにスリットの長手方向に沿って複数の目印を設けるようにしたものは、所定のスライド量にするように展開してより便利なスライド式連結ファイルにできる。
係合片の周縁の一部を前後に傾斜するように折曲させたものは、摺動する係合片とスリットを設けた面あるいは収容した書類の抵抗が大きくならないようにしてよりスムーズにスライドできるようにする。
係合片の基端部分が係合片を設けた面に対して垂直に突出した構造にしたものは、よりスムーズにスライドできるようにする。
隣接するファイルシートの一方に折り返し片を設け、もう一方に袋状レール部を設け、袋状レール部に折り返し片を差し込み、袋状レール部を外側から係合片で押さえ込むようにしたものは、上方に開くことによって複数のファイル体の一つの面全部を見ることができ、スリットによるスライドさせるスライド式連結ファイルに比べてより簡単に連絡できる。
袋状レール部に係合させた折り返し片の摺動する範囲にするストッパを設けたものは、摺動の範囲を所定の範囲にして複数のファイル体のスライドの動きを統一されたものにしたり、一部のスライド量を変えるなどより便利に用いることができる。
ファイルシートの前面部又は後面部に切欠部を設けたものは、より使いやすいファイル連結具にできる。
折り返しシートと中間シートでファイル連結具としたものは、簡単に紙やファイル体に取り付けて使用できる安価で便利なファイル連結具にでき、また市販の角開きのファイルホルダーに使用してスライド式連結ファイルとして使用することができる。
【図面の簡単な説明】
【図１】実施例１のスライド式連結ファイルの説明図である。
【図２】実施例１のスライド式連結ファイルの一部切欠正面図である。
【図３】実施例１のスライド式連結ファイルの動作を示す説明図である。
【図４】図２のＡ−Ａ断面図である。
【図５】実施例２のスライド式連結ファイルの一部切欠正面図である。
【図６】実施例２のスライド式連結ファイルの動作を示す説明図である。
【図７】実施例２のスライド式連結ファイルの動作を示す説明図である。
【図８】図５のＢ−Ｂ断面図である。
【図９】実施例３のスライド式連結ファイルの一部切欠正面図である。
【図１０】実施例３のスライド式連結ファイルの動作を示す説明図である。
【図１１】図９のＣ−Ｃ断面図である。
【図１２】実施例４のスライド式連結ファイルの一部切欠正面図である。
【図１３】実施例５のスライド式連結ファイルの正面図である。
【図１４】図１３のＤ−Ｄ断面図である。
【図１５】実施例６のスライド式連結ファイルの一部切欠正面図である。
【図１６】実施例７のスライド式連結ファイルの一部切欠正面図である。
【図１７】実施例８のスライド式連結ファイルの一部切欠正面図である。
【図１８】実施例８のスライド式連結ファイルの動作を示す説明図である。
【図１９】図１７のＥ−Ｅ断面図である。
【図２０】実施例８のスライド式連結ファイルを上方に開く動作を示す説明図である。
【図２１】実施例９のスライド式連結ファイルの説明図である。
【図２２】実施例１０のスライド式連結ファイルの一部切欠正面図である。
【図２３】図２２のＦ−Ｆ断面図である。
【図２４】実施例１０のスライド式連結ファイルの説明図である。
【図２５】実施例１１のファイル連結具の正面図である。
【図２６】図２５のＧ−Ｇ断面図である。
【図２７】実施例１１のファイル連結具を使用した状態を示す説明図である。
【図２８】実施例１１のファイル連結具の他の例の正面図である。
【図２９】図２８のＨ−Ｈ断面図である。
【符号の説明】
１  スライド式連結ファイル
２  ファイル体
３  切目
４  係合片
４ａ  折曲部分
４ｂ  逆方向係合部
５  内側係合片
６  スリット
７  欠番
８  スライド式連結ファイル
９  ファイル体
９ａ  切欠部
１０  切り目
１１  係合片
１１ａ  逆方向係合部
１２  カバー
１３  スリット
１４  欠番
１５  スライド式連結ファイル
１６  ファイル体
１６ａ  切欠部
１７  切り目
１８  係合片
１８ａ  逆方向係合部
１９  目印孔
２０  ストッパ片
２１  ストッパ片
２２  スリット
２３  欠番
２４  スライド式連結ファイル
２５  ファイル体
２６  切り目
２７  係合片
２７ａ  逆方向係合部
２８  目印孔
２９  内側係合孔
３０  欠番
３１  スライド式連結ファイル
３２  ファイル体
３２ａ  切欠部
３３  切り目
３４  係合片
３５  逆方向係合部
３６  内側係合片
３７  スリット
３８  欠番
３９  スライド式連結ファイル
４０  ファイル体
４１  切り目
４２  係合片
４３  逆方向係合部
４４  内側係合片
４５  スリット
４６  欠番
４７  スライド式連結ファイル
４８  ファイル体
４９  切り目
５０  係合片
５１  逆方向係合部
５２  内側係合片
５３  スリット
５４  欠番
５５  スライド式連結ファイル
５６  ファイル体
５７  切り目
５８  折り返し片
５９  スリット
６０  係合片
６１  欠番
６２  スライド式連結ファイル
６３  ファイル体
６４  折り返し片
６５  スリット
６６  係合片
６７  欠番
６８  スライド式連結ファイル
６９  ファイル体
７０  切り目
７１  折り返し片
７２  ストッパ
７３  袋状レール部
７４  係合片
７５  欠番
７６  ファイル連結具
７７  折り返しシート
７８  中間シート
７９  スリット
８０  係合片
８１  ファイル体
８２  欠番
８３  ファイル連結具
８４  折り返しシート
８５  中間シート
８６  スリット
８７  係合片
【図１】
0003712587.tif 000002
【図２】
0003712587.tif 000003
【図３】
0003712587.tif 000004
【図４】
0003712587.tif 000005
【図５】
0003712587.tif 000006
【図６】
0003712587.tif 000007
【図７】
0003712587.tif 000008
【図８】
0003712587.tif 000009
【図９】
0003712587.tif 000010
【図１０】
0003712587.tif 000011
【図１１】
0003712587.tif 000012
【図１２】
0003712587.tif 000013
【図１３】
0003712587.tif 000014
【図１４】
0003712587.tif 000015
【図１５】
0003712587.tif 000016
【図１６】
0003712587.tif 000017
【図１７】
0003712587.tif 000018
【図１８】
0003712587.tif 000019
【図１９】
0003712587.tif 000020
【図２０】
0003712587.tif 000021
【図２１】
0003712587.tif 000022
【図２２】
0003712587.tif 000023
【図２３】
0003712587.tif 000024
【図２４】
0003712587.tif 000025
【図２５】
0003712587.tif 000026
【図２６】
0003712587.tif 000027
【図２７】
0003712587.tif 000028
【図２８】
0003712587.tif 000029
【図２９】
0003712587.tif 000030